(57)【要約】【課題】橋桁の表面をはつってアンカーボルト等を橋桁に埋め込んだりすることなく、確実に死荷重を軽減することができ、且つ外観を阻害することも回避できる橋桁の補強方法を提供する。【解決手段】アーチ状に湾曲させた補強部材６を、橋桁２の下に位置するよう橋脚１間に掛け渡してヒンジ接合し、橋桁２の中央部をジャッキアップした後、前記補強部材６の上面と橋桁２の中央部下面との間に形成される間隙にシムプレート７を介装する。【選択図】　　　　図１
2004044229.tif 000002
【特許請求の範囲】
【請求項１】
所要間隔をあけて立設された橋脚上に設けられる橋桁の補強方法であって、
少なくとも上面側を円弧形状とした補強部材を、橋桁の下に位置するよう橋脚間に掛け渡してヒンジ接合し、橋桁の中央部をジャッキアップした後、前記補強部材の円弧形状とした上面と橋桁の中央部下面との間に形成される間隙にシムプレートを介装することを特徴とする橋桁の補強方法。
【請求項２】
橋桁の長手方向へ互いに対向するように隣接する二つの補強部材の端部を、橋脚上に設置した共用ヒンジブラケットに支承されたヒンジピンに対して枢着した請求項１記載の橋桁の補強方法。
【発明の詳細な説明】
【０００１】
【発明の属する技術分野】
本発明は、橋桁の補強方法に関するものである。
【０００２】
【従来の技術】
一般に、スラブ橋等の橋梁は、図５に示される如く、所要間隔をあけて立設された橋脚１上に、プレストレストコンクリート製のスラブで形成された橋桁２を、シュー３を介して載置するように設けてなる構成を有している。
【０００３】
前述の如き橋梁においては、橋梁自体の重量による荷重、即ち死荷重を軽減するために、例えば、橋脚１間に掛け渡すように設けられた橋桁２の両端部下面に、台座４を取り付け、該台座４間に、鋼製棒状の外ケーブル５を貫通させ、外ケーブル５をジャッキ（図示せず）によって引張って緊張させた後、固定することにより、橋桁２に対して前記死荷重を打ち消す方向に作用するプレストレスを付与することが行われていた。
【０００４】
【発明が解決しようとする課題】
しかしながら、前述の如く、橋桁２の下面側に外ケーブル５を配置して死荷重を打ち消す方向に作用するプレストレスを付与するのでは、外ケーブル５用の台座４を固定するためのアンカーボルト等をコンクリート製の橋桁２に埋め込む必要があり、該橋桁２の表面をはつる作業等を行わなければならず、あまり好ましい補強方法であるとは言い難く、又、外ケーブル５が露出しており、外観も悪くなるという欠点を有していた。
【０００５】
本発明は、斯かる実情に鑑み、橋桁の表面をはつってアンカーボルト等を橋桁に埋め込んだりすることなく、確実に死荷重を軽減することができ、且つ外観を阻害することも回避できる橋桁の補強方法を提供しようとするものである。
【０００６】
【課題を解決するための手段】
本発明は、所要間隔をあけて立設された橋脚上に設けられる橋桁の補強方法であって、
少なくとも上面側を円弧形状とした補強部材を、橋桁の下に位置するよう橋脚間に掛け渡してヒンジ接合し、橋桁の中央部をジャッキアップした後、前記補強部材の円弧形状とした上面と橋桁の中央部下面との間に形成される間隙にシムプレートを介装することを特徴とする橋桁の補強方法にかかるものである。
【０００７】
上記手段によれば、以下のような作用が得られる。
【０００８】
前述の如く、少なくとも上面側を円弧形状とした補強部材を、橋桁の下に位置するよう橋脚間に掛け渡してヒンジ接合し、橋桁の中央部をジャッキアップした後、前記補強部材の円弧形状とした上面と橋桁の中央部下面との間に形成される間隙にシムプレートを介装すると、橋桁に対して死荷重を打ち消す方向に作用するプレストレスを、前記補強部材により効率良く付与することが可能となり、従来のように、橋桁の下面側に外ケーブルを配置して死荷重を打ち消す方向に作用するプレストレスを付与するのとは異なり、外ケーブル用の台座を固定するためのアンカーボルト等をコンクリート製の橋桁に埋め込む必要がなくなって、該橋桁の表面をはつる作業等を行わなくて済み、又、外ケーブルが露出しておらず、外観が悪くなる心配もない。
【０００９】
前記橋桁の補強方法においては、橋桁の長手方向へ互いに対向するように隣接する二つの補強部材の端部を、橋脚上に設置した共用ヒンジブラケットに支承されたヒンジピンに対して枢着することができ、このようにすると、補強部材の端部からヒンジピンを介して共用ヒンジブラケットに作用する橋桁の長手方向における水平荷重が互いに打ち消され、共用ヒンジブラケットには、垂直荷重のみが作用する形となり、強度的に有利となって、共用ヒンジブラケットをコンパクト化することも可能となる。
【００１０】
【発明の実施の形態】
以下、本発明の実施の形態を図示例と共に説明する。
【００１１】
図１〜図３は本発明を実施する形態の一例であって、図中、図５と同一の符号を付した部分は同一物を表わしており、アーチ状に湾曲させた補強部材６を、橋桁２の下に位置するよう橋脚１間に掛け渡してヒンジ接合し、橋桁２の中央部を図示していないジャッキによりジャッキアップした後、前記補強部材６の上面と橋桁２の中央部下面との間に形成される間隙にシムプレート７を介装するようにしたものである。
【００１２】
前記補強部材６は、図２に示す如く、フランジ間をウェブで連結することにより断面Ｈ形とした鋼材等を用い、橋桁２の幅方向へ二本配置し、その間を横梁８によって連結するようにしてある。尚、前記補強部材６は、必ずしも全体をアーチ状に湾曲させた形状に限定されるものではなく、橋桁２から受ける荷重の大きさに応じて、例えば、上面側のみを円弧形状とし下面側を略平坦に延ばすような山形の形状とすることも可能である。又、前記補強部材６の本数は、橋桁２の幅に応じて二本以上にしても良く、更に又、横梁８による補強部材６の連結箇所は、必要に応じて複数箇所としても良いことは言うまでもない。
【００１３】
前記橋桁２の長手方向へ互いに対向するように隣接する二つの補強部材６の端部は、図３に示す如く、橋脚１上に設置した共用ヒンジブラケット９に支承されたヒンジピン１０に対して枢着するようにしてあり、前記共用ヒンジブラケット９は、橋脚１の上面部に被せるように固定されるベースプレート１１上に固着するようにしてある。尚、図３には、共用ヒンジブラケット９に支承された二本のヒンジピン１０に対して二つの補強部材６の端部を個別に枢着した例を示しているが、例えば、図４に示すように、共用ヒンジブラケット９に支承された一本のヒンジピン１０に対して二つの補強部材６の端部を枢着することも可能である。
【００１４】
次に、上記図示例の作用を説明する。
【００１５】
前述の如く、アーチ状に湾曲させ少なくとも上面側を円弧形状とした補強部材６を、橋桁２の下に位置するよう橋脚１間に掛け渡してヒンジ接合し、橋桁２の中央部をジャッキアップした後、前記補強部材６の円弧形状とした上面と橋桁２の中央部下面との間に形成される間隙にシムプレート７を介装すると、橋桁２に対して死荷重を打ち消す方向に作用するプレストレスを、前記補強部材６により効率良く付与することが可能となり、従来のように、橋桁２の下面側に外ケーブル５を配置して死荷重を打ち消す方向に作用するプレストレスを付与するのとは異なり、外ケーブル５用の台座４を固定するためのアンカーボルト等をコンクリート製の橋桁２に埋め込む必要がなくなって、該橋桁２の表面をはつる作業等を行わなくて済み、又、外ケーブル５が露出しておらず、外観が悪くなる心配もない。
【００１６】
本図示例においては、橋桁２の長手方向へ互いに対向するように隣接する二つの補強部材６の端部を、図３或いは図４に示す如く、橋脚１上に設置した共用ヒンジブラケット９に支承されたヒンジピン１０に対して枢着するようにしてあるため、補強部材６の端部からヒンジピン１０を介して共用ヒンジブラケット９に作用する橋桁２の長手方向における水平荷重ＦＨが互いに打ち消され、共用ヒンジブラケット９には、垂直荷重ＦＶのみが作用する形となり、強度的に有利となって、共用ヒンジブラケット９をコンパクト化することも可能となる。
【００１７】
こうして、橋桁２の表面をはつってアンカーボルト等を橋桁２に埋め込んだりすることなく、確実に死荷重を軽減することができ、且つ外観を阻害することも回避でき、更に、補強部材６の端部からヒンジピン１０を介して共用ヒンジブラケット９に作用する橋桁２の長手方向における水平荷重を打ち消すことができ、共用ヒンジブラケット９のコンパクト化をも図り得る。
【００１８】
尚、本発明の橋桁の補強方法は、上述の図示例にのみ限定されるものではなく、本発明の要旨を逸脱しない範囲内において種々変更を加え得ることは勿論である。
【００１９】
【発明の効果】
以上、説明したように本発明の請求項１記載の橋桁の補強方法によれば、橋桁の表面をはつってアンカーボルト等を橋桁に埋め込んだりすることなく、確実に死荷重を軽減することができ、且つ外観を阻害することも回避できるという優れた効果を奏し得、又、本発明の請求項２記載の橋桁の補強方法によれば、上記効果に加え更に、補強部材の端部からヒンジピンを介して共用ヒンジブラケットに作用する橋桁の長手方向における水平荷重を打ち消すことができ、共用ヒンジブラケットのコンパクト化をも図り得るという優れた効果を奏し得る。
【図面の簡単な説明】
【図１】本発明を実施する形態の一例の側面図である。
【図２】図１のＩＩ−ＩＩ矢視図である。
【図３】図１のＩＩＩ部拡大図である。
【図４】本発明を実施する形態の一例における補強部材の端部支持の変形例を表わす要部拡大側面図である。
【図５】従来例の側面図である。
【符号の説明】
１　　橋脚
２　　橋桁
３　　シュー
６　　補強部材
７　　シムプレート
８　　横梁
９　　共用ヒンジブラケット
１０　　ヒンジピン
１１　　ベースプレート
【図１】
2004044229.tif 000003
【図２】
2004044229.tif 000004
【図３】
2004044229.tif 000005
【図４】
2004044229.tif 000006
【図５】
2004044229.tif 000007